(57)【要約】【課題】限られた空間内で装飾体の動きを最大限に大きくみせることができ、装飾効果を高めることができることはもとより、文字盤の開閉角度を容易に変えることができ、種々の仕様への対応が容易であるからくり時計を提供する。【解決手段】各周囲用歯車２０６〜２０８の回転軸２０６ａ〜２０８ａの一端部が駆動軸として固定され、可動分割片１２１〜１２３の作動子１２１２〜１２３２を所定の範囲にわたって案内するカム溝２０９１〜２１１１が形成され、中心飾り用歯車２０５の回転に応じて回転する駆動軸の回転に伴い作動子を所定の範囲で案内して、可動分割片１２１〜１２３を、文字盤の形状の画定領域内から画定領域外に至る領域の所定の領域に位置するように、軸支部１１１１〜１１１３を回転軸として回転させるカム駆動部２０９〜２１１を設ける。【選択図】      図４
2004333176.tif 000002
【特許請求の範囲】
【請求項１】
文字盤の裏面側に指定時刻あるいはモニタ信号に基づく駆動信号を受けて駆動される装飾部を有するからくり時計であって、
上記文字盤は、
裏面側に作動子が形成され、一端側が軸支部により回転可能に軸支された可動片を有し、
上記装飾部は、
駆動信号を受けて所定速度で正逆方向に回転可能な駆動モータと、
上記駆動モータの回転軸の回転を伝達する少なくとも一つの伝達歯車と、
上記伝達歯車の回転が伝達される中心飾り用歯車と、
上記中心飾り用歯車の周囲に配置されて当該中心飾り用歯車の回転が伝達される周囲用歯車と、
上記周囲用歯車の回転軸の一端部が駆動軸として固定され、上記可動片の作動子を所定の範囲にわたって案内する案内部が形成され、上記中心飾り用歯車の回転に応じて回転する上記駆動軸の回転に伴い上記作動子を所定の範囲で案内して、上記可動片を、文字盤の形状の画定領域内から画定領域外に至る領域の所定の領域に位置するように、上記軸支部を回転軸として回転させるカム駆動部と、
上記中心飾り用歯車の回転軸に取り付けられ、当該中心飾り用歯車の回転に応じて回転し、当該回転に伴い、少なくとも上記文字盤を画定する場合に位置する上記可動片の裏面側領域を装飾体が位置する中心飾りと、を有する
からくり時計。
【請求項２】
上記カム駆動部の案内部は、上記可動片の作動子を第１の方向に案内する第１ガイドと、当該第１ガイドと連通し作動子を第１の方向とは異なる第２の方向に案内する第２ガイドと、を少なくとも含み、
上記可動片の上記作動子を上記第１ガイドを案内しているときのみ、上記可動片を上記軸支部を回転軸として回転させる
請求項１記載のからくり時計。
【請求項３】
所定の位置に案内部が形成された回転ローラを有し、
上記可動片には当該可動片の回転軌跡に沿った被案内部が形成されており、
上記可動片は回転時に、上記被案内部が上記回転ローラの案内部に案内されながら回転する
請求項１または２記載のからくり時計。
【請求項４】
上記軸支部と上記周囲用歯車の回転軸は、上記文字盤の外周側であって、上記中心飾り用歯車の回転軸を中心とした同心円軌跡上に略位置するように配置されている
請求項１、２、または３記載のからくり時計。
【請求項５】
文字盤の裏面側に指定時刻あるいはモニタ信号に基づく駆動信号を受けて駆動される装飾部を有するからくり時計であって、
上記文字盤は、
それぞれ裏面側に作動子が形成され、一端側が軸支部により回転可能に軸支された複数の可動分割片を有し、
上記装飾部は、
駆動信号を受けて所定速度で正逆方向に回転可能な駆動モータと、
上記駆動モータの回転軸の回転を伝達する少なくとも一つの伝達歯車と、
上記伝達歯車の回転が伝達される中心飾り用歯車と、
上記中心飾り用歯車の周囲に配置されて当該中心飾り用歯車の回転が伝達される複数の周囲用歯車と、
上記各周囲用歯車の回転軸の一端部が駆動軸として固定され、上記可動分割片の作動子を所定の範囲にわたって案内する案内部が形成され、上記中心飾り用歯車の回転に応じて回転する上記駆動軸の回転に伴い上記作動子を所定の範囲で案内して、上記可動分割片を、文字盤の形状の画定領域内から画定領域外に至る領域の所定の領域に位置するように、上記軸支部を回転軸として回転させる複数のカム駆動部と、
上記中心飾り用歯車の回転軸に取り付けられ、当該中心飾り用歯車の回転に応じて回転し、当該回転に伴い、少なくとも上記文字盤を画定する場合に位置する上記可動分割片の裏面側領域を装飾体が位置する中心飾りと、を有する
からくり時計。
【請求項６】
上記各カム駆動部の案内部は、上記可動分割片の作動子を第１の方向に案内する第１ガイドと、当該第１ガイドと連通し作動子を第１の方向とは異なる第２の方向に案内する第２ガイドと、を少なくとも含み、
上記可動分割片の上記作動子を上記第１ガイドを案内しているときのみ、上記可動分割片を上記軸支部を回転軸として回転させる
請求項５記載のからくり時計。
【請求項７】
所定の位置に案内部が形成された回転ローラを有し、
上記各可動分割片には当該可動分割片の回転軌跡に沿った被案内部が形成されており、
上記各可動分割片は回転時に、上記被案内部が上記回転ローラの案内部に案内されながら回転する
請求項５または６記載のからくり時計。
【請求項８】
上記回転ローラは、隣接する可動分割片の上記軸支部と同軸状に設けられている
請求項７記載のからくり時計。
【請求項９】
上記軸支部と上記周囲用歯車の回転軸は、上記文字盤の外周側であって、上記中心飾り用歯車の回転軸を中心とした同心円軌跡上に略位置するように配置されている
請求項５、６、７、または８記載のからくり時計。
【発明の詳細な説明】
【０００１】
【発明の属する技術分野】
本発明は、からくり時計に関し、特に、たとえば所定の時刻になると文字盤等を移動させて背後に収納された人形等の装飾体を出現させるからくり時計に関するものである。
【０００２】
【従来の技術】
時計の文字盤を複数の分割片により構成し、たとえば正時になると、この複数の分割片を分離するように移動させて、その背後に収容された人形などの装飾体を出現させ、音楽に合わせてこの装飾体を作動させるようなからくり時計が開発され製品化されている。
【０００３】
このようなからくり時計としては、たとえば特許文献１、特許文献２等に開示されたものが存在する。この特許文献１に開示のからくり時計は、文字盤を複数に分割された略扇状の素片により形成し、所定の時刻になると、これらの素片を回動させて花弁状に広がらせるようにし、この文字盤の背後に収納された人形等の装飾体を目視できるようにしたものである。上記分割された文字盤のそれぞれの素片を回動させる駆動機構としては、外周に歯が形成されたリング状のラック、このラックに噛み合うようにラックの径方向外側に配置された複数の歯車等を設け、この複数の歯車の回転軸にそれぞれの素片を固定して、ラックを駆動モータにより駆動することにより、素片を開閉自在に回動させるように構成している。
【０００４】
また、特許文献２に開示のからくり時計は、文字盤を上下に２分割できるように形成し、所定の時刻になると、この文字盤を上下にそれぞれ分離させて、その文字盤の背後に収容された人形等の装飾体を目視できるようにしたものである。
【０００５】
ところで、上記特許文献１に開示のからくり時計においては、分割された文字盤のそれぞれの素片を回動させる駆動機構として、外周に歯が形成されたリング状のラック、このラックに噛み合うようにラックの径方向外側に配置された複数の歯車等を採用していることから、径方向において時計全体が大型化し、部品の集約化が困難であるという問題があった。
【０００６】
また、回動させられて開いた状態にある文字盤のそれぞれの素片は、回転軸により支持されるのみであり、前後方向におけるガタツキすなわちあおり等を生じる場合があるという問題があった。
さらに、文字盤を形成するそれぞれの素片の移動範囲としては、固定された回転軸回りに回動する範囲であるため、それ程目立つものでもなく、動的変化の意外性という面では、若干迫力に欠けるという問題があった。
【０００７】
また、上記特許文献２に開示のからくり時計においても、上下に２分割された文字盤は、単に上下に分離移動するだけであるため、内部の装飾体を出現させることはできるものの、外観の変化として強い印象を及ぼすものではなく、同様に変化の意外性に乏しいという問題があった。
【０００８】
そこで、出願人は、文字盤を、中心軸部にムーブメントにより回転駆動される指針軸が挿通されており、指針軸の挿通部を含む固定分割片と、３つの可動分割片に分割し、かつ、指定時刻あるいはモニタ信号に基づく駆動信号を受けて文字盤の裏面側に配置した観覧車を回転させるとともに、文字盤の３つの可動分割片を１８０°回転させて開状態とした後、すなわち可動分割片を文字盤の形状の画定領域内から画定領域外に位置するように回転させた後、逆転させて、可動分割片を文字盤を画定する元の位置に戻す装飾部を設けたからくり時計を提案した（特許文献３参照）。
【０００９】
【特許文献１】
特公平８−１０２５６号公報
【特許文献２】
特開平８−６８８７０号公報
【特許文献３】
特開平２００１−１５３９７１号公報
【００１０】
【発明が解決しようとする課題】
上記特許文献３に開示されたからくり時計は、変化の意外性に富み、優れた鑑賞性が得られる。
また、限られた空間内で装飾体の動きを最大限に大きくみせることができ、装飾効果を高めることができる利点がある。
【００１１】
ところが、特許文献３に開示されたからくり時計は、基本的に文字盤の可動分割辺の回転軸と駆動軸が同軸であるため、駆動軸の回転角度が文字盤の開閉角度となる。
したがって、特許文献３に開示されたからくり時計では、駆動軸の回転角度、すなわち文字盤の開閉角度を変えるには複雑な制御機構が必要であり、種々の仕様への対応が煩雑であるという不利益がある。
【００１２】
本発明は、かかる事情に鑑みてなされたものであり、その目的は、構造の簡略化、部品点数の削減等を図りつつ、装飾体の前方を開閉する文字盤等の動的変化の意外性に富んでより優れた鑑賞性を与えることができ、限られた空間内で装飾体の動きを最大限に大きくみせることができ、装飾効果を高めることができることはもとより、文字盤の開閉角度を容易に変えることができ、種々の仕様への対応が容易であるからくり時計を提供することにある。
【００１３】
【課題を解決するための手段】
上記目的を達成するため、本発明の第１の観点は、文字盤の裏面側に指定時刻あるいはモニタ信号に基づく駆動信号を受けて駆動される装飾部を有するからくり時計であって、上記文字盤は、裏面側に作動子が形成され、一端側が軸支部により回転可能に軸支された可動片を有し、上記装飾部は、駆動信号を受けて所定速度で正逆方向に回転可能な駆動モータと、上記駆動モータの回転軸の回転を伝達する少なくとも一つの伝達歯車と、上記伝達歯車の回転が伝達される中心飾り用歯車と、上記中心飾り用歯車の周囲に配置されて当該中心飾り用歯車の回転が伝達される周囲用歯車と、上記周囲用歯車の回転軸の一端部が駆動軸として固定され、上記可動片の作動子を所定の範囲にわたって案内する案内部が形成され、上記中心飾り用歯車の回転に応じて回転する上記駆動軸の回転に伴い上記作動子を所定の範囲で案内して、上記可動片を、文字盤の形状の画定領域内から画定領域外に至る領域の所定の領域に位置するように、上記軸支部を回転軸として回転させるカム駆動部と、上記中心飾り用歯車の回転軸に取り付けられ、当該中心飾り用歯車の回転に応じて回転し、当該回転に伴い、少なくとも上記文字盤を画定する場合に位置する上記可動片の裏面側領域を装飾体が位置する中心飾りと、を有する。
【００１４】
本発明の第２の観点は、文字盤の裏面側に指定時刻あるいはモニタ信号に基づく駆動信号を受けて駆動される装飾部を有するからくり時計であって、上記文字盤は、それぞれ裏面側に作動子が形成され、一端側が軸支部により回転可能に軸支された複数の可動分割片を有し、上記装飾部は、駆動信号を受けて所定速度で正逆方向に回転可能な駆動モータと、上記駆動モータの回転軸の回転を伝達する少なくとも一つの伝達歯車と、上記伝達歯車の回転が伝達される中心飾り用歯車と、上記中心飾り用歯車の周囲に配置されて当該中心飾り用歯車の回転が伝達される複数の周囲用歯車と、上記各周囲用歯車の回転軸の一端部が駆動軸として固定され、上記可動分割片の作動子を所定の範囲にわたって案内する案内部が形成され、上記中心飾り用歯車の回転に応じて回転する上記駆動軸の回転に伴い上記作動子を所定の範囲で案内して、上記可動分割片を、文字盤の形状の画定領域内から画定領域外に至る領域の所定の領域に位置するように、上記軸支部を回転軸として回転させる複数のカム駆動部と、上記中心飾り用歯車の回転軸に取り付けられ、当該中心飾り用歯車の回転に応じて回転し、当該回転に伴い、少なくとも上記文字盤を画定する場合に位置する上記可動分割片の裏面側領域を装飾体が位置する中心飾りと、を有する。
【００１５】
好適には、上記カム駆動部の案内部は、上記可動（分割）片の作動子を第１の方向に案内する第１ガイドと、当該第１ガイドと連通し作動子を第１の方向とは異なる第２の方向に案内する第２ガイドと、を少なくとも含み、上記可動（分割）片の上記作動子を上記第１ガイドを案内しているときのみ、上記可動（分割）片を上記軸支部を回転軸として回転させる。
【００１６】
好適には、所定の位置に案内部が形成された回転ローラを有し、上記各可動（分割）片には当該可動片の回転軌跡に沿った被案内部が形成されており、上記各可動（分割）片は回転時に、上記被案内部が上記回転ローラの案内部に案内されながら回転する。
【００１７】
好適には、上記回転ローラは、隣接する可動（分割）片の上記軸支部と同軸状に設けられている。
【００１８】
好適には、上記軸支部と上記周囲用歯車の回転軸は、上記文字盤の外周側であって、上記中心飾り用歯車の回転軸を中心とした同心円軌跡上に略位置するように配置されている。
【００１９】
本発明によれば、指定時刻あるいはモニタ信号に基づく駆動信号が駆動モータに供給されると、モータが回転して伝達歯車が回転し、モータの回転が中心飾り用歯車に伝達される。
これにより、中心飾りが所定方向に回転する。
中心飾り用歯車の回転に伴いその周囲に配置されている複数の周囲用歯車が中心飾りと逆方向あるいは同方向に回転する。
これにより、可動分割片の作動子が係合されたカム駆動部も回転を始め、たとえば第１ガイドの側壁により作動子が押圧力を受けて可動分割片が軸支部を回転中心として反時計回りに回転を始める。
そして、可動分割片が閉状態から開状態になるまでの間に、あるいは開状態から閉状態になるまでの間、文字盤の背後で回転している中心飾りの見える箇所が時々刻々と変化する。
したがって、限られた空間内で装飾体の動きを最大限に大きくみせることができ、また、装飾効果が高くなっている。
そして、文字盤の開閉角度を容易に変えることができ、種々の仕様への対応が容易である。
【００２０】
【発明の実施の形態】
以下、本発明のからくり時計に係る実施の形態について、添付図面に基づき説明する。なお、説明の便宜上、一部の図面においては、透視図法を用いて示した。
また、本実施形態で参照する添付図面においては、からくり時計の外側輪郭を画定するケース体については、図面の簡単化のために省略している。
【００２１】
図１および図２は、本発明に係るからくり時計の一実施形態を示すものであり、図１は後述する装飾部により可動分割片が回転され文字盤が分離された開放状態を示す正面図、図２は後述する装飾部により可動分割片が回転され文字盤が通常の状態である閉状態を示す正面図である。
【００２２】
本実施形態に係るからくり時計１０は、外側輪郭を画定する図示しないケース体に設けられる前面ガラス板で保護されたケース体内の時計筐体部１１に配置され、３つの可動分割片１２１，１２２，１２３に分割された文字盤１２と、文字盤１２の裏面側に配置され可動分割片１２１，１２２，１２３の開閉動作を行わせる装飾部１３と、文字盤１２の装飾部１３よりさらに裏面側（ケース体の裏面側）に配置された図示しないムーブメントにより駆動される時針１４および分針１５等を主構成要素として有している。
【００２３】
時計筐体部１１は、たとえば所定の径を有する円形状に形成されて文字盤１２の形状を画定する文字盤用ベース１１１が形成されている。
この円形状の文字盤用ベース１１１の中心軸部に図示しないムーブメントにより回転駆動される指針軸１６が挿通されている。
【００２４】
文字盤１２は、上述したように３つの可動分割片１２１，１２２，１２３に分割されている。
各可動分割片１２１，１２２，１２３は、たとえば円弧状（三日月状）に形成され、図２に示すように、閉状態時には円形状の文字盤用ベース１１１で画定される領域において通常の文字盤の形状の画定領域内に位置し、開放状態時には、図１に示すように、文字盤の形状の画定領域外における領域に位置するように至る領域の所定の領域に位置するように、各可動分割片１２１，１２２，１２３の一端側が文字盤用ベース１１１の所定の位置に形成された軸支部に対して回転可能に軸支されている。
【００２５】
文字盤１２のさらに具体的な構成を、図３、図４および図５に関連付けて説明する。
図３は、文字盤１２の裏面側を示し、かつ文字盤用ベース１１１に対する取り付け構造を説明するための図である。
また、図４は、文字盤の部分および第１装飾部の一部のみを抽出した図であって、文字盤が開状態にある場合を示す図、図５は、文字盤の部分および第１装飾部の一部のみを抽出した図であって、文字盤が閉状態にある場合を示す図である。
【００２６】
可動分割片１２１は、図３〜図５に示すように、円弧状（三日月状）に形成されており、一端側に回転中心となる軸支孔１２１１が形成され、軸支孔１２１１の近傍には、後述するカム駆動部のカム溝に挿入されて案内される作動子１２１２が形成されている。
また、可動分割片１２１の他端側には、可動分割片１２１の回転軌跡に沿った円弧状の被案内部１２１３が形成されており、可動分割片１２１は回転時に、被案内部１２１３が文字盤用ベース１１１に配置された回転ローラ１１２の案内部１１２１に案内されながら回転する。
【００２７】
可動分割片１２２は、図３〜図５に示すように、円弧状（三日月状）に形成されており、一端側に回転中心となる軸支孔１２２１が形成され、軸支孔１２２１の近傍には、後述するカム駆動部のカム溝に挿入されて案内される作動子１２２２が形成されている。
また、可動分割片１２２の他端側には、可動分割片１２２の回転軌跡に沿った円弧状の被案内部１２２３が形成されており、可動分割片１２２は回転時に、被案内部１２２３が文字盤用ベース１１１に配置された回転ローラ１１３の案内部１１３１に案内されながら回転する。
【００２８】
可動分割片１２３は、図３〜図５に示すように、円弧状（三日月状）に形成されており、一端側に回転中心となる軸支孔１２３１が形成され、軸支孔１２３１の近傍には、後述するカム駆動部のカム溝に挿入されて案内される作動子１２３２が形成されている。
また、可動分割片１２３の他端側には、可動分割片１２３の回転軌跡に沿った円弧状の被案内部１２３３が形成されており、可動分割片１２３は回転時に、被案内部１２３３が文字盤用ベース１１１に配置された回転ローラ１１４の案内部１１４１に案内されながら回転する。
【００２９】
次に、可動分割片１２１の取り付け構造を図３に関連付けて説明する。
文字盤用ベース１１１の所定の位置に可動分割片１２１の軸支孔１２１１に挿入され、可動分割片１２１を回転可能に軸支する軸支部１１１１、軸支部１１１１の近傍に後述するカム駆動部が回転可能に設置される凹部１１１４が形成されている。そして、隣接する可動分割片１２１の軸支孔１２１１に挿入される軸支部１１１２に回転ローラ１１２が同軸状に軸支されている。
このような構成において、可動分割片１２１の軸支孔１２１１に軸支部１１１１を挿入し、かつ、作動子１２１２をカム駆動部のカム溝に挿入し、被案内部１２１３を回転ローラ１１２の案内部１１２１に係止させることにより、可動分割片１２１を文字盤用ベース１１１に取り付ける。
同様に、可動分割片１２２の軸支孔１２２１に軸支部１１１２を挿入し、かつ、作動子１２２２をカム駆動部のカム溝に挿入し、被案内部１２２３を回転ローラ１１３の案内部１１３１に係止させることにより、可動分割片１２２を文字盤用ベース１１１に取り付ける。
同様に、可動分割片１２３の軸支孔１２３１に軸支部１１１３を挿入し、かつ、作動子１２３２をカム駆動部のカム溝に挿入し、被案内部１２３３を回転ローラ１１４の案内部１１４１に係止させることにより、可動分割片１２３を文字盤用ベース１１１に取り付ける。
【００３０】
本実施形態では、上述したように、可動分割片１２１〜１２３の被案内部１２１３〜１２３３を案内する案内部１１２１〜１１４１が形成された回転ローラ１１２〜１１４は、隣接する可動分割片の軸支部と同軸状に設けられている。
これにより、可動分割片１２１〜１２３の回転動作をスムースにできることはもとより、効率的に組み立てることができる等の利点がある。
【００３１】
装飾部１３は、文字盤１２の裏面側中央部に中心飾りとしての観覧車１３１が回転可能に設けられている。
この観覧車１３１の周囲に観覧車１３１の回転に応じて回転するように複数（本実施形態では５個）の装飾体として気球やベル飾り１３１−１、１３１−２，１３１−３，１３１−４，１３１−５が設けられている。
また、装飾部１３は、指定時刻あるいはモニタ信号に基づく駆動信号を受けて観覧車１３１を回転させるとともに、図４に示すように、文字盤１２の３つの可動分割片１２１，１２２，１２３を回転させて開状態とした後、すなわち可動分割片を文字盤の形状の画定領域内から画定領域外に位置するように回転させた後、逆転させて、図２に示すように、可動分割片１２１，１２２，１２３を文字盤１４を画定する元の位置に戻す。
また、文字盤１２を閉状態から開状態に、また開状態から閉状態にする場合、観覧者１３１および回転装飾体としてのベル飾り１３１−１、１３１−２，１３１−３，１３１−４，１３１−５の見え方が、可動分割片１２１，１２２，１２３の回転に応じて変化する。これにより、からくり時計としての変化の意外性が増し、優れた鑑賞性が得られるようになっている。
【００３２】
以下に、装飾部１３の具体的な構成について図４、図５、および図６に関連付けて説明する。
【００３３】
図６は、観覧車、および可動分割片の回転機構を示す図である。
【００３４】
この回転機構２００は、駆動モータ２０１、駆動モータ２０１の回転軸に軸支された第１歯車２０２、第１歯車２０２と噛合する第２歯車２０３、第２歯車２０３と噛合する第３歯車２０４、第３歯車２０４と噛合する第４歯車２０５、第４歯車２０５の周囲にそれぞれ１２０度の角度をもって配置され、かつそれぞれが第４歯車２０５と噛合する第５歯車２０６、第６歯車２０７、および第７歯車２０８、第１カム駆動部２０９、第２カム駆動部２１０、および第３カム駆動部２１１により構成されている。
そして、これらの駆動モータ２０１、第１歯車２０２、第２歯車２０３、第３歯車２０４、第４歯車２０５、第５歯車２０６、第６歯車２０７、および第７歯車２０８は、文字盤用ベース１１１のベース基板に対して固定あるいは軸支されている。
【００３５】
中心飾り用歯車としての第４歯車２０５の回転軸２０５ａに観覧車１３１の回転軸が固定されている。
周囲用歯車としての第５歯車２０６の回転軸２０６ａが駆動軸として文字盤１２の可動分割片１２１を回転されるためのカム駆動部２１１に対して文字盤用ベース１１１の裏面側から回転可能に固定されている。
周囲用歯車としての第６歯車２０７の回転軸２０７ａが駆動軸として可動分割片１２２を回転させるためのカム駆動部２２０に対して文字盤用ベース１１１の裏面側から回転可能に固定されている。
周囲用歯車としての第７歯車２０８の回転軸２０８ａが駆動軸として可動分割片１２３を回転させるためのカム駆動部２３０に対して文字盤用ベース１１１の裏面側から回転可能に固定されている。
【００３６】
また、周囲用歯車としての第５歯車２０６，第６歯車２０７、および第７歯車２０８の裏面側とベース基板２０９間には、図７に示すように、受け車２１２，２１３，２１４が同軸状に配置されている。
そして、各受け車２１２，２１３，２１４の上面と各第５歯車２０６，第６歯車２０７、および第７歯車２０８の裏面側との間には、図８（Ａ），（Ｂ）に示すように中央部が捲線として形成され、この捲線部２１５ａを回転軸が挿通し、両端部２１５ｂ，２１５ｃが第５歯車２０６，第６歯車２０７、および第７歯車２０８の裏面側に係止されている補正バネ２１５が配置されている。
また、各受け車２１２，２１３，２１４の上面にはボス２１２ａ，２１３ａ，２１４ａが形成され、各第５歯車２０６，第６歯車２０７、および第７歯車２０８の裏面側に形成された長孔にそれぞれ係合されている。
さらに、受け車２１２，２１３，２１４には、それぞれ１８０°をもって対向した位置に溝２１２ｂ，２１３ｂ，２１４ｂが形成され、これら溝２１２ｂ，２１３ｂ，２１４ｂに、第５歯車２０６，第６歯車２０７、および第７歯車２０８の裏面側に形成されたボス２０６ｃ，２０７ｃ，２０８ｃがはめ込まれて、受け車２１２，２１３，２１４の回転方向が規制されている。補正バネ２１５の両端部２１５ｂ，２１５ｃは、各歯車のボス２０６ｃ，２０７ｃ，２０８ｃ及び各受け車２１２，２１３，２１４に係合しバネ力（弾性力）が付勢される。
【００３７】
各カム駆動部２０９，２１０，２１１は、図示のように、扇状をなし、その円弧部の中心となる端部が、上述したように、周囲用歯車としての第５歯車２０６，第６歯車２０７、および第７歯車２０８の回転軸２０６ａ，２０７ａ，２０８ａが駆動軸として文字盤用ベース１１１を裏面側が挿通されて固定されている。
【００３８】
カム駆動部２０９は、外周側弧に沿って、可動分割片１２１の作動子１２１２を案内する案内部としてのカム溝２０９１が生成されている。
カム溝２０９１は、図４および図５に示すように、可動分割片１２１の作動子１２１２を第１の方向に弧状に案内する第１ガイド２０９１ａと、第１ガイド２０９１ａと連通し作動子１２１２を第１の方向とは異なる第２の方向に弧状に案内する第２ガイド２０９１ｂとを有し、可動分割片１２１の作動子１２１２を第１ガイド２０９１ａを案内しているときのみ、可動分割片１２１を軸支部１２１１を回転軸として回転させる。
第１の方向としては、たとえば閉状態を示す図５の場合には、軸支部１２１１の方向で、文字盤１２の若干内方向であり、第２の方向は、第１の方向と略直交する方向である。
【００３９】
カム駆動部２１０は、外周側弧に沿って、可動分割片１２２の作動子１２２２を案内する案内部としてのカム溝２１０１が生成されている。
カム溝２１０１は、図４および図５に示すように、可動分割片１２２の作動子１２２２を第１の方向に弧状に案内する第１ガイド２１０１ａと、第１ガイド２１０１ａと連通し作動子１２２２を第１の方向とは異なる第２の方向に弧状に案内する第２ガイド２１０１ｂとを有し、可動分割片１２２の作動子１２２２を第１ガイド２１０１ａを案内しているときのみ、可動分割片１２２を軸支部１２２１を回転軸として回転させる。
第１の方向としては、たとえば閉状態を示す図５の場合には、軸支部１２２１の方向で、文字盤１２の若干内方向であり、第２の方向は、第１の方向と略直交する方向である。
【００４０】
カム駆動部２１１は、外周側弧に沿って、可動分割片１２３の作動子１２３２を案内する案内部としてのカム溝２１１１が生成されている。
カム溝２１１１は、図４および図５に示すように、可動分割片１２３の作動子１２３２を第１の方向に弧状に案内する第１ガイド２１１１ａと、第１ガイド２１１１ａと連通し作動子１２３２を第１の方向とは異なる第２の方向に弧状に案内する第２ガイド２１１１ｂとを有し、可動分割片１２３の作動子１２３２を第１ガイド２１１１ａを案内しているときのみ、可動分割片１２３を軸支部１２３１を回転軸として回転させる。
第１の方向としては、たとえば閉状態を示す図５の場合には、軸支部１２３１の方向で、文字盤１２の若干内方向であり、第２の方向は、第１の方向と略直交する方向である。
【００４１】
また、観覧車１３１における各ベル飾り１３１−１、１３１−２，１３１−３，１３１−４，１３１−５は、下部には所定の重さに設定された台座部（乗り込み部）Ｇが形成され、第５歯車２０６の回転に伴い観覧車１３１が回転しても、台座部Ｇの自重で、必ず図１に示すような正姿勢を保持するように構成されている。
【００４２】
また、本実施形態に係るからくり時計においては、可動分割片１２１、１２２、１２３が回転されて所定回転角度位置に達した（１８０°回転した、または９０°回転した）こと等を検知する図６に示すように第１検知部３００および第２検知部４００を設けている。
【００４３】
具体的には、第１検知部３００は、たとえば図９に示すように、中心飾り用歯車としての第４歯車２０５の輪歯部を除く外周部の所定の位置に緩やかな傾斜をなす係止部としてのテーパ状凹部３０１が形成されており、ベース基板１１１ａには、ベース基板１１１ａに形成された支持軸３０２に対して揺動自在となるように第１揺動アーム３０３が配置されており、その一端部３０３ａには、ベース基板１１１ａに形成された開口部（不図示）を通り抜けて第４歯車２０５まで達する係合ピン３０４が設けられている。
また、その第１揺動アーム３０３の他端部３０３ｂは、ベース基板１１１ａに固定された第１スイッチ３０５のスイッチレバー３０５ａに係合し得るようになっている。
【００４４】
これら第１揺動アーム３０３、テーパ状凹部３０１、第１スイッチ３０５等を有する第１検知部３００は、正時モードにおいて、第４歯車２０５あるいは文字盤１２の可動分割片１４２，１４３，１４４が、所定回転角度位置に達したことを、あるいは、閉状態すなわち休止位置の直前位置に復帰したことを検知する。
すなわち、第４歯車２０５が回転して、第１揺動アーム３０３の係合ピン３０４がテーパ状凹部３０１に入り込むと、第１揺動アーム３０３の他端部３０３ｂが第１スイッチ３０５のスイッチレバー３０５ａから離脱ないしは他端部３０４ｂによる押圧力が低下して第１スイッチ３０５がオフとされ、駆動モータ２０１の回転を停止させるようになっている。
なお、第１揺動アーム３０３が逆回りに揺動すると、再び他端部３０３ｂが第１スイッチ３０５のスイッチレバー３０５ａに係合ないしは押圧して、第１スイッチ３０５がオンとされる。
【００４５】
また、ベース基板１１１ａの背面外周領域でかつ前述の支持軸３０２に対して中心角で９０°離れた領域には、図９のかっこ内に示すように、第２検知部４００が設けられている。
第２の検知部４００においては、ベース基板１１１ａに形成された支持軸４０１に対して揺動自在となるように第２揺動アーム４０２が配置されており、その一端部４０２ａには、ベース基板１１１ａに形成された開口部（不図示）を通り抜けて第４歯車２０５まで達する係合ピン４０３が設けられている。
また、第２揺動アーム４０２の他端部４０２ｂは、ベース基板１１１ａに固定された第２スイッチ４０４のスイッチレバー４０４ａに係合し得るようになっている。
【００４６】
これら第２揺動アーム４０２、第１検知部３００と共用するテーパ状凹部３０１、第２スイッチ４０３等を有する第２検知部４００は、消費者向けに展示するような場合の展示モードにおいて、第４歯車２０５あるいは文字盤１２の可動分割片１４２，１４３，１４４が、所定回転角度位置（図２に示す略９０°回転した位置）に達したことを検知する。
すなわち、第４歯車２０５が回転して、第２揺動アーム４０２の係合ピン４０３がテーパ状凹部３０１に入り込むと、第２揺動アーム４０２の他端部４０２ｂが第２スイッチ４０４のスイッチレバー４０４ａから離脱ないしは他端部４０２ｂによる押圧力が低下して第２スイッチ４０４がオフとされ、文字盤１２が閉じた状態から略９０°自転および公転して両側に開いた状態のところで、駆動モータ２０１の回転を停止させるようになっている。
【００４７】
次に、本実施形態に係るからくり時計の正時モードにおける動作について説明する。
また、可動分割片の回転動作については、可動分割片１２１を例に図１０（Ａ）〜（Ｅ）に関連付けて説明する。
【００４８】
図２に示すように、文字盤１２（１４１〜１４４）が閉状態すなわち休止位置にある状態で、所定の時刻たとえば正時になると、制御手段としての制御部（不図示）により駆動信号が発せられて、駆動モータ２０１が一方向に回転し、第１〜第３歯車２０２〜２０４を介して中心飾り用歯車である第４歯車２０５に伝達される。
これにより、第４歯車２０５が所定方向、たとえば反時計回り方向に回転しだし、観覧車１３１が反時計回り方向に回転を始める。
【００４９】
この第４歯車２０５の回転に伴い、第１検出部３００の第１揺動アーム３０３の係合ピン３０４がテーパ状凹部３０１から出て、第１揺動アーム３０３が揺動して、他端部３０３ｂが第１スイッチ３０５のスイッチレバー３０５ａに係合ないしは押圧して、第１スイッチ３０５がオンとされる。
【００５０】
また、第４歯車２０４の回転は第５歯車２０６、第６歯車２０７、および第７歯車２０８に伝達される。
これにより、周囲用歯車としての第５歯車２０６、第６歯車２０７、および第７歯車２０８が時計回りに回転する。これにより、可動分割片１２１，１２２，１２３の作動子１２１２，１２２２，１２３２が係合されたカム駆動部２０９，２１０，２１１も時計回りに回転を始め、第１ガイド２０９１ａの側壁により作動子１２１１が押圧力を受けて可動分割片１２１，１２２，１２３が軸支部１１１１，１１１２，１１１３を回転中心として反時計回りに回転を始める。
【００５１】
具体的には、図１０（Ａ）に示すように、休止位置にある状態（閉状態）から、第５歯車２０６の回転軸２０６ａが駆動軸として固定されたカム駆動部２０９が、図１０（Ｂ）に示すように、作動子１２１１がカム溝２０９１の第１ガイド２０９１ａを案内される。
このとき、被案内部１２１３は回転ローラ１１２に形成された案内部１１２１を所定の回転軌跡に沿って案内される。
可動分割片１２１の作動子１２１１はさらにカム溝２０９１の第１ガイド２０９１ａを案内され、可動分割片１２１は、図１０（Ｃ）に示すように、さらに反時計回りに回転し、やがて図１０（Ｄ）に示すように、作動子１２１１が第１ガイド２０９１を案内され、第２ガイド２０９１ｂに案内された時点で、カム溝２０９１による押圧力から開放され、可動分割片１２１の回転は停止する。
以後、第５歯車２０６の回転軸２０６ａが回転し、カム駆動部２０９を回転するが、作動子１２１２がカム溝２０９１の第２ガイド２０９１ｂを案内されるだけで、図１０（Ｅ）に示すように、作動子１２１２が第２ガイド２０９１ｂの端部に当接し、ここでカム駆動部２０９の時計回り方向への回転が停止する。
【００５２】
同様にして、各可動分割片１２１，１２２，１２３は、図１に示すような文字盤の形状の画定領域外の位置に達する。
この閉状態から開状態になるまでの間に、背後で回転している観覧車１３１のベル飾り１３１−１、１３１−２，１３１−３，１３１−４，１３１−５の見える箇所が時々刻々と変化する。
【００５３】
上述したように、可動分割片１２１，１２２，１２４が文字盤の形状の画定領域外の位置に達すると、第１検知部３００の第１揺動アーム３０２の係合ピン３０４が、第５歯車２０６のテーパ状凹部３０１に入り込み、第１スイッチ３０５をオフにする。
その後、制御手段としての制御部により駆動信号の出力が停止されて駆動モータ２０１の作動が停止される。
そして、一端停止された駆動モータ２０１に対して逆転するように指示する駆動信号が駆動モータ２０１に出力される。
【００５４】
これにより、カム駆動部２０９が反時回り方向に回転されて第２ガイド２０９１ｂを案内され、やがて第１ガイド２０９１ａに達すると第１ガイド２０９１ａの側壁から開放動作時と反対の押圧力を受けるようになり、可動分割片１２１が反時計回りに回転される。他の可動分割片１２２，１２３も同様の作用を受けて、各可動分割片１２１，１２２，１２３は図２に示すように、文字盤１２を画定する元の位置に戻される。
【００５５】
このとき、第１検出部３００においては、第４歯車２０５が回転して、第１揺動アーム３０３の係合ピン３０４がテーパ状凹部３０１に入り込むと、第１揺動アーム３０３の他端部３０３ｂが第１スイッチ３０５のスイッチレバー３０５ａから離脱ないしは他端部３０４ｂによる押圧力が低下して第１スイッチ３０５がオフとされる。これにより、図示しない制御部による駆動信号の出力が停止され、駆動モータ２０１の回転が停止される。
【００５６】
以上の動作で正時モードのからくり動作が終了し、からくり時計では、通常運針が行われる。
【００５７】
続いて、本実施形態に係るからくり時計の展示モードにおける動作について説明する。
この場合、文字盤１２（１２１〜１２３）が閉状態すなわち休止位置にある状態で、固定板の裏面に配置されたモード切り替えスイッチ（不図示）が正時モードから展示モードに切り換えられる。
これにより、制御部（不図示）により駆動信号が発せられて、駆動モータ２０１が一方向に回転し、第１〜第３歯車２０２〜２０４を介して中心飾り用歯車である第４歯車２０５に伝達される。
これにより、第４歯車２０５が所定方向、たとえば反時計回り方向に回転しだし、観覧車１３１が反時計回り方向に回転を始める。
【００５８】
この第４歯車２０５の回転に伴い、第１検出部３００の第１揺動アーム３０３の係合ピン３０４がテーパ状凹部３０１から出て、第１揺動アーム３０３が揺動して、他端部３０３ｂが第１スイッチ３０５のスイッチレバー３０５ａに係合ないしは押圧して、第１スイッチ３０５がオンとされる。
【００５９】
また、第４歯車２０５の回転は第５歯車２０６、第６歯車２０７、および第７歯車２０８に伝達される。
これにより、周囲用歯車としての第５歯車２０６、第６歯車２０７、および第７歯車２０８が時計回りに回転する。これにより、可動分割片１２１，１２２，１２３の作動子１２１２，１２２２，１２３２が係合されたカム駆動部２０９，２１０，２１１も時計回りに回転を始め、第１ガイド２０９１ａにの側壁により作動子１２１１が押圧力を受けて可動分割片１２１，１２２，１２３が軸支部１１１１，１１１２，１１１３を回転中心として反時計回りに回転を始める。
これにより、第５歯車２０６、第６歯車２０７、および第７歯車２０８が時計回りに回転し、各可動分割片１２１，１２２，１２３も反時計回りに回転を始める。
【００６０】
そして、各可動分割片１４２，１４３，１４４は、回転して図１に示すように文字盤の形状の画定領域外の位置に達する。
この閉状態から開状態になるまでの間に、背後で回転している観覧車１３１の気球飾り１３１−１、１３１−２，１３１−３，１３１−４，１３１−５の見える箇所が時々刻々と変化する。
【００６１】
上述したように、可動分割片１２１，１２２，１２３が文字盤の形状の画定領域外の位置に達すると、第２検知部４００の第２揺動アーム４０１の係合ピン４０３が、第４歯車２０５のテーパ状凹部３０１に入り込み、第１スイッチ４０４をオフにする。
その後、制御手段としての制御部により駆動信号の出力が停止されて駆動モータ２０１の作動が停止される。
これにより、消費者等は、からくりの一態様を確実に確認することができることになる。
【００６２】
さらに、モード切り替えスイッチにより、上記展示モードから前述の正時モードに切り換えられると、前述の正時モードの場合と同様に、可動分割片１２１，１２２，１２３が文字盤の形状の画定領域外の位置に達すると、第１検知部３００の第１揺動アーム３０２の係合ピン３０４が、第４歯車２０５のテーパ状凹部３０１に入り込み、第１スイッチ３０５をオフにする。
その後、制御手段としての制御部により駆動信号の出力が停止されて駆動モータ２０１の作動が停止される。
そして、一端停止された駆動モータ２０１に対して逆転するように指示する駆動信号が駆動モード２０１に出力される。
これにより、カム駆動部２０９〜２１１が反時回り方向に回転されて第２ガイドを案内され、やがて第１ガイドに達すると第１ガイドの側壁から開放動作時と反対の押圧力を受けるようになり、可動分割片１２１〜１２３が反時計回りに回転される。そして、各可動分割片１２１，１２２，１２３は図２に示すように、文字盤１２を画定する元の位置に戻される。
【００６３】
このとき、第１検出部３００においては、第４歯車２０５が回転して、第１揺動アーム３０３の係合ピン３０４がテーパ状凹部３０１に入り込むと、第１揺動アーム３０３の他端部３０３ｂが第１スイッチ３０５のスイッチレバー３０５ａから離脱ないしは他端部３０４ｂによる押圧力が低下して第１スイッチ３０５がオフとされる。これにより、図示しない制御部による駆動信号の出力が停止され、駆動モータ２０１の回転が停止される。
【００６４】
以上説明したように、本実施形態によれば、各周囲用歯車２０６〜２０８の回転軸２０６ａ〜２０８ａの一端部が駆動軸として固定され、可動分割片１２１〜１２３の作動子１２１２〜１２３２を所定の範囲にわたって案内するカム溝２０９１〜２１１１が形成され、中心飾り用歯車２０５の回転に応じて回転する駆動軸の回転に伴い作動子を所定の範囲で案内して、可動分割片１２１〜１２３を、文字盤の形状の画定領域内から画定領域外に至る領域の所定の領域に位置するように、軸支部１１１１〜１１１３を回転軸として回転させるカム駆動部２０９〜２１１を設けたので、変化の意外性に富み、優れた鑑賞性が得られる。また、限られた空間内で装飾体の動きを最大限に大きくみせることができ、装飾効果を高めることができることはもとより、文字盤の開閉角度を容易に変えることができ、種々の仕様への対応が容易であるという利点がある。
【００６５】
また、装飾部１３において、可動分割片１２１，１２２，１２３を回転させるための第５歯車２０６，第６歯車２０７、および第７歯車２０８の裏面側とベース基板１１１ａ間に、所定の係合関係をもって受け車２１２，２１３，２１４を同軸状に配置し、捲線部２１５ａを回転軸が挿通し、両端部２１５ｂ，２１５ｃが第５歯車２０６，第６歯車２０７、および第７歯車２０８の裏面側に係止されている補正バネ２１５を配置したので中心飾り用の第４歯車２０５と、周囲用の第５歯車２０６，第６歯車２０７、および第７歯車２０８のバックラッシュ分のずれ（戻り）を補正することができる。
【００６６】
なお、本実施形態においては、カム駆動部のカム溝の第２ガイドを弧状に外周部に沿って形成し、可動分割片を回転させるための第１ガイドをその端部に連通する形態で形成したが、たとえば、図１１（Ａ）に示すように、第２ガイド２０９１ｂの途中に案内方向が異なる第３ガイド２０９１ｃを設ける形態、あるいは、図１１（Ｂ）に示すように、円環状に形成して第１ガイド２０９１ｄ、第２ガイド２０９１ｅを設ける形態等、種々の形態を採用することが可能である。
この場合、可動分割片の回転動作に変化を付与することが可能となる。
【００６７】
【発明の効果】
以上述べたように、本発明のからくり時計によれば、変化の意外性に富み、優れた鑑賞性が得られる。また、限られた空間内で装飾体の動きを最大限に大きくみせることができ、装飾効果を高めることができることはもとより、文字盤の開閉角度を容易に変えることができ、種々の仕様への対応が容易であるという利点がある。
【図面の簡単な説明】
【図１】装飾部により可動分割片が回転され文字盤が分離された開放状態を示す本発明に係るからくり時計の正面図ある。
【図２】装飾部により可動分割片が回転され文字盤が通常の状態である閉状態を示す本発明に係るからくり時計の正面図である。
【図３】文字盤の裏面側を示し、かつ文字盤用ベースに対する取り付け構造を説明するための図である。
【図４】文字盤の部分および装飾部の一部のみを抽出した図であって、文字盤が開状態にある場合を示す図でる。
【図５】文字盤の部分および装飾部の一部のみを抽出した図であって、文字盤が閉状態にある場合を示す図である。
【図６】観覧車、および可動分割片の回転機構を示す図である。
【図７】本発明に係る文字盤の部分および装飾部の一部のみを抽出した図であって、文字盤が開状態にある場合をさらに具体的な構成を示す図である。
【図８】本発明に係る補正バネの構造を示す図である。
【図９】本発明のからくり時計の一部をなす検知手段の構成を説明するための図である。
【図１０】本実施形態に係る動作を説明するための図である。
【図１１】本発明に係るカム駆動部の他の構成例を示す図である。
【符号の説明】
１０…からくり時計
１１…時計筐体部
１１１…文字盤用ベース
１１１ａ…ベース基板
１２…文字盤
１２１〜１２３…可動分割片
１３…装飾部
１４…時針
１５…分針
２００…回転機構
２０１…駆動モータ
２０５…第４歯車（中心飾り用歯車）
２０６…第５歯車（周囲用歯車）
２０７…第６歯車（周囲用歯車）
２０８…第７歯車（周囲用歯車）
２０９〜２１１…カム駆動部
３００…第１検出部
４００…第２検出部
【図１】
2004333176.tif 000003
【図２】
2004333176.tif 000004
【図３】
2004333176.tif 000005
【図４】
2004333176.tif 000006
【図５】
2004333176.tif 000007
【図６】
2004333176.tif 000008
【図７】
2004333176.tif 000009
【図８】
2004333176.tif 000010
【図９】
2004333176.tif 000011
【図１０】
2004333176.tif 000012
【図１１】
2004333176.tif 000013
【手続補正書】
【提出日】平成15年6月5日(2003.6.5)
【手続補正１】
【補正対象書類名】図面
【補正対象項目名】全図
【補正方法】変更
【補正の内容】
【図１】
2004333176.tif 000014
【図２】
2004333176.tif 000015
【図３】
2004333176.tif 000016
【図４】
2004333176.tif 000017
【図５】
2004333176.tif 000018
【図６】
2004333176.tif 000019
【図７】
2004333176.tif 000020
【図８】
2004333176.tif 000021
【図９】
2004333176.tif 000022
【図１０】
2004333176.tif 000023
【図１１】
2004333176.tif 000024